(57)【要約】【課題】  監視カメラの制御は、専用の切り換え操作手段によって行われるのが通例であり、その操作が複雑で、且つ操作装置の費用が高くなる短所があった。また、通常、監視カメラからの画像を表示する画像ディスプレイ手段も専用のものであり、その操作も複雑で、且つ費用が相当に高くなる。【解決手段】  監視カメラと、この監視カメラに電気的に接続され、その動作・不動作を切り換えるためのリモコン信号を受信するリモコン信号受信手段と、前記監視カメラに電気的に接続されて前記監視カメラが動作状態にあるときに、それに連動して警告信号を発し、不動作状態にあるときには、それに連動して警告信号を停止するようなカメラ動作警告手段とからなる監視カメラ制御装置。【選択図】      図１
2006019821.tif 000002
【特許請求の範囲】
【請求項１】
監視カメラと、その動作・不動作を切り換えるための無線信号を発信するリモコン手段と、前記無線信号を受信するためのリモコン信号受信手段と、前記監視カメラが動作状態にあるときに、それに連動して警告信号を発し、不動作状態にあるときには、それに連動して警告信号を停止するようなカメラ動作警告手段とからなり、前記監視カメラの動作・不動作切り換え操作は、前記リモコン手段から発せられる無線信号を、前記リモコン信号受信手段が受信することに連動して実行されることを特徴とする監視カメラ制御装置。
【請求項２】
前記監視カメラからの画像信号が入力されると、その画像を表示することが出来る画像ディスプレイ手段の近傍に、前記カメラ動作警告手段と、前記リモコン信号受信手段との、少なくとも一方が配置されることを特徴とする、請求項１の監視カメラ制御装置。
【請求項３】
防犯や防災に関する異変を検出して、その検出信号を発信する検出手段からの、前記検出信号の発信に連動して、前記監視カメラの動作・不動作の切り換えが実行されることを特徴とする、請求項１の監視カメラ制御装置。
【請求項４】
前記リモコン手段にはワイヤレスマイクが搭載され、このワイヤレスマイクからの音声信号を受信すると、これを電子的に処理したうえで、前記監視カメラ近傍に配置されたスピーカーから音声として再生することができる電子回路手段を備えたことを特徴とする、請求項１、ないしは請求項２、ないしは請求項３の監視カメラ制御装置。
【発明の詳細な説明】
【技術分野】
【０００１】
本発明は、監視カメラの制御装置に係わり、特に、この監視カメラの動作・不動作を切り換えることのできる監視カメラ制御装置に関するものである。
【背景技術】
【０００２】
従来、離れたところに設置した監視カメラの動作・不動作を切り換える制御は、専用の切り換え操作装置によって行われるのが通例であり、その操作が複雑で、且つ操作装置の費用が高くなる短所があった。これを軽減するために、前記監視カメラに電気的に接続されて、前記監視カメラから画像信号が入力されると、その画像を表示することが出来る画像ディスプレイ手段を遠隔操作するためのディスプレイリモコンを利用し、画像ディスプレイ手段に内蔵された、ディスプレイリモコン信号受光手段の受光に連動して、監視カメラの動作・不動作を切り換える制御を行うような例が、例えば特許文献１などに見られる。これにより監視カメラの操作が簡単になり、使い勝手が良くなる。
【０００３】
別の例として、動体検出装置からの検出信号に連動して、前記ディスプレイリモコンを自動的に操作し、前記画像ディスプレイ手段に、画像が自動表示されるシステムを付加するような装置も考えられ、そのような技術思想は、特許文献２などに見られる。
【０００４】
【特許文献１】特開平０６−３３５００３
【特許文献２】特開平０９−２２４２３８
【発明の開示】
【発明が解決しようとする課題】
【０００５】
しかしながら、このような従来例において、例えば特許文献１の例の場合、前記画像ディスプレイ手段は、内蔵する前記ディスプレイリモコン信号受光手段の受光信号に連動して、前記監視カメラの動作・不動作を切り換えるような制御を行うための回路部分を、前記画像ディスプレイ手段内に内蔵する必要があり、前記画像ディスプレイ手段と前記監視カメラとの組み合わせは、それぞれ専用のものとして製造・設置する必要があった。そのために、費用が相当に高くなる短所を有する。また、例えば特許文献２の例の場合は、付加される前記システムなどが複雑で高価となり、更には、たまたま観察者が不在の場合には、画像表示しても無駄である。
【０００６】
これらの例のように、高度な自動操作が行われると、機器の操作に不慣れなユーザー、例えば高齢者などにとって、操作と画像表示との因果関係が直感的に理解しにくく、操作に支障をきたすことも懸念される。
【課題を解決するための手段】
【０００７】
上記の課題は、以下に示す本発明によって解決される。すなわち本発明では、監視カメラと、その動作・不動作を切り換えるための無線信号を発信するリモコン手段と、前記無線信号を受信するためのリモコン信号受信手段と、前記監視カメラが動作状態にあるときに、それに連動して警告信号を発し、不動作状態にあるときには、それに連動して警告信号を停止するようなカメラ動作警告手段とからなり、前記監視カメラの動作・不動作切り換え操作は、前記リモコン手段から発せられる無線信号を、前記リモコン信号受信手段が受信することに連動して実行されることを特徴とする監視カメラ制御装置が開示される。
【０００８】
なお前記無線信号には、赤外線信号も含まれる。
【０００９】
前記監視カメラからの画像信号が入力されると、その画像を表示する画像ディスプレイ手段は、前記監視カメラと専用に組み合わせる手段としての何ら特殊な構成を備えておらず、例えば、家庭用テレビを適用することが出来る。
【発明の効果】
【００１０】
本発明では、前記画像ディスプレイ手段として、広く市販されている廉価な家庭用テレビを全く改造しないままで適用することが出来るので、監視カメラ制御装置全体の費用をきわめて低くすることができる。
【００１１】
また、観察者は、前記監視カメラの動作を意図した場合、前記リモコン手段から手動で無線信号を発信する操作を行うだけで、前記リモコン信号受信手段が、前記無線信号を受信し、これに連動して前記監視カメラの動作・不動作を切り換えることができるので、観察者の操作負担を、いちじるしく軽減することが出来る。
【００１２】
監視カメラの操作は、単純に、専用の前記リモコン手段で行い、操作時には、前記カメラ動作警告手段によって警告されるので、機器の操作に不慣れなユーザー、例えば高齢者などにとって、操作と画像表示との因果関係が直感的に理解しやすく、操作しやすい。
【発明を実施するための最良の形態】
【００１３】
以下、図面に基づいた実施例により、本発明を詳細に具体的に説明するが、本発明が、これらによって何ら限定されるものではない。
【００１４】
図１、図２は、本発明における監視カメラ制御装置の実施例のひとつの構成を示す。
【００１５】
画像ディスプレイ手段１は、内蔵する赤外線受光手段によって、この画像ディスプレイ手段１の付属品であるディスプレイリモコン２が発する赤外線信号を受光し、これによって前記画像ディスプレイ手段１の各種操作が行われることは公知の技術である。前記画像ディスプレイ手段１のビデオ信号入力端子のひとつには、監視カメラ３が電気的に接続されており、前記監視カメラ３から画像信号が入力されると、画像ディスプレイ手段１で、画像そのものとして表示することが可能であり、このことも公知の技術である。
【００１６】
前記画像ディスプレイ手段１の近傍に配置されて、前記監視カメラ３遠隔操作用のリモコン手段６が発する無線信号を受信するリモコン信号受信手段４が、前記監視カメラ３の動作・不動作を切り換える機能を実現するように前記監視カメラ３に電気的に接続されており、前記リモコン信号受信手段４が、前記リモコン手段６の発信する無線信号を受信することに連動して、前記監視カメラ３の動作・不動作の切り換えが実行される。
【００１７】
なお、本発明では、前記監視カメラ３に電気的に接続され、防犯や防災に関する異変や変化を検出して、その検出信号を発信する検出手段７からの、前記検出信号発信に連動して、前記監視カメラ３の動作・不動作の切り換えが実行されることも可能である。前記検出手段７としては、前記監視カメラ３の付近を移動する人間や動物などの動体を検出する動体検出手段や、扉の振動・移動などを検出する防犯センサー、あるいは来客が押す呼び出しボタンなどが該当するが、これらの例に限定されない。
【００１８】
さらに、前記監視カメラ３には、カメラ動作警告手段５が電気的に接続されており、前記監視カメラ３が動作状態にあるときには、それに連動して点灯したり警告音を出すなどの警告信号を発し、不動作状態にあるときには、それに連動して警告信号を停止する。前記カメラ動作警告手段５を、前記画像ディスプレイ手段１の近傍に配置すれば、表示される画像の観察者が、容易に警告信号を確認できる。
【００１９】
前記カメラ動作警告手段５は、図示しない市販の衝撃検知センサや、線材切断検出手段などと連動させて、カメラなどへの破壊や線材の切断などが行われた場合に、警告が発せられるようにすることも可能である。
【００２０】
なお、前記カメラ動作警告手段５と、前記リモコン信号受信手段４とを、同一の筐体に収納すると、製造、販売や設置に便利ならしめることができる。
【００２１】
以上に説明したような監視機能に加え、インタ−ホン機能を付加させることも可能である。すなわち、前記監視カメラ３は、前面の画像をとらえるだけでなく、カメラ近傍の音をとらえる公知のマイク（図示しない）を搭載していることも可能であり、これらの画像と音声を同時に、前記画像ディスプレイ手段１で再生することは公知の技術である。これに加え、第一図のように、前記リモコン手段６にワイヤレスマイク６ａが搭載され、このワイヤレスマイク６ａからの音声信号を受信すると、これを電子的に処理したうえで、前記監視カメラ３近傍に配置されたスピーカー１２から音声として再生せしめることができる公知の電子回路手段（図示しない）を備えれば、インターホン機能を実現することが可能である。この場合、ワイヤレスマイク６ａからの音声信号は、前記リモコン信号に重畳させるとして、第一図に示したが、これに限定せず、別の音声信号として独立して発信させることでも、どちらでも可能である。
【００２２】
前述した、本発明の実施例では、各構成要素の間の接続を、有線で行うことで説明しているが、これを公知の無線技術で接続することもできる。
【００２３】
次に、この構成での作用を述べる。
【００２４】
前記監視カメラ３からの画像観察を意図する観察者が、前記ディスプレイリモコン２を手動操作すると発せられる赤外線信号で、前記画像ディスプレイ手段１が意図する画像の表示状態に切り換わる。
【００２５】
観察者は、この操作と合わせて、前記リモコン手段６を手動操作し、無線信号を発信すると、前記リモコン信号受信手段４が、この無線信号を受信することに連動して、前記監視カメラ３の動作状態への切り換えが実行される。
【００２６】
前記観察者が前述の操作を行ったにも係わらず、もし、なんらかの不都合で、前記監視カメラ３が動作状態にならなかったりするような場合には、前記カメラ動作警告手段５から警告信号が発生しないので、観察者は、すみやかに再度、前記リモコン手段６の操作をやり直すなど、適切な対応を取ることができる。
【００２７】
別の例として、前述のとおり、前記検出手段７が防犯や防災に関する異変や変化を検出すると、発信される検出信号に連動して、前記監視カメラ３は自動的に動作状態に切り換わる。すると、前記カメラ動作警告手段５が警告信号を発するので、観察者は、気が付いて前記画像ディスプレイ手段１を画像の表示状態にすべく、前記ディスプレイリモコン２を手動で操作することができる。
【００２８】
前記検出手段７からの検出信号に連動して、前記ディスプレイリモコン２を自動的に操作するような装置も考えられ、そのような技術思想は、前記特許文献２などに見られるが、複雑で高価となり、更には、たまたま観察者が不在の場合には、画像表示しても無駄である。したがって、本発明のような観察者の手動による操作の方式のほうがシンプルで、且つ合理的なシステムと言える。
【００２９】
すなわち、監視カメラ３の操作は、単純に、専用の前記リモコン手段６を用いて手動で行い、その操作の結果、前記カメラ動作警告手段５が警告信号を発したり、警告信号を停止したりするので、とても分かりやすく、機器の操作に不慣れなユーザー、例えば高齢者などにとって、操作と画像表示との因果関係が直感的に理解しやすい。
【００３０】
本発明では、家庭用テレビを、そのまま監視カメラ画像のディスプレイ手段専用として利用することが可能であるが、さらには、通常の放送番組を見たり、ＶＴＲやＤＶＤレコーダーのような画像記録再生手段と組み合わせて使用している家庭用テレビを、そのまま監視カメラ画像のディスプレイ手段として兼用することもできるので、それを図３で説明する。
【００３１】
一般的な家庭用テレビ８は、画像信号入力端子として、放送アンテナ端子８ａ、「ビデオ１」入力端子８ｂ、「ビデオ２」入力端子８ｃを備えている。前記放送アンテナ端子８ａは、アンテナ９に接続されて、放送番組の信号を取り込み、「ビデオ１」入力端子８ｂはＶＴＲなどの画像記録再生手段１０に接続されて、その信号を取り込み、「ビデオ２」入力端子８ｃは、通常は使われないことが多い。この「ビデオ２」入力端子８ｃに、前記監視カメラ３の画像信号出力端子を接続しておけば、前記家庭用テレビ８のビデオ入力切り換えを、前記ディスプレイリモコン２で、「ビデオ２」入力に切り換えることによって、前記監視カメラ３からの画像を表示することが可能になる。
【００３２】
前記ディスプレイリモコン２のビデオ入力切り換え機能は、図４に示すとおり、前記ディスプレイリモコン２のパネル表面に配置された、図示しないビデオ入力切り換えボタンを押すたびに、「テレビ」、「ビデオ１」、「ビデオ２」、を順番に繰り返すことが一般的である。
【００３３】
なお、監視カメラ３からの画像信号は、図３の点線で示すように、直接、画像記録再生手段１０に伝送されて記録できるようにすることも公知の技術で可能である。
【００３４】
これまでの説明では、監視カメラ３や、検出手段７を一台としてきたが、本発明では、それぞれを複数とすることも可能である。その一実施例を図５で説明する。図５に示すとおり、図１に比較すると、監視カメラ３ａ、３ｂと検出手段７ａ、７ｂが複数になり、それぞれの監視カメラ３ａ、３ｂが中継器１１を介して画像ディスプレイ手段１、リモコン信号受信手段４とカメラ動作警告手段５に接続される。
【００３５】
リモコン手段６の表面には、複数の監視カメラ３ａ、３ｂのうち、画像を表示したいほうの監視カメラ３ａ、３ｂを観察者が手動で選択することができる機能を有する監視カメラ選択ボタン（図示しない）が設けられている。リモコン手段６は、前記監視カメラ選択ボタン（図示しない）の監視カメラ選択情報を含む無線信号が発信される機能を有し、この無線信号を前記リモコン信号受信手段４が受信すると、それに連動して、前記中継器１１は、画像ディスプレイ手段１に、選択された監視カメラ３ａ、３ｂの画像信号を送出する機能を有する。
【００３６】
監視カメラ３ａ、３ｂは、それぞれ検出手段７ａ、７ｂと電気的に接続され、前記検出手段７ａ、７ｂが防犯や防災に関する異変や変化を検出すると、発信される検出信号に連動して、前記監視カメラ３ａ，３ｂは自動的に動作状態に切り換わる。すると、前記カメラ動作警告手段５が警告信号を発するので、観察者は、気が付いて前記画像ディスプレイ手段１を画像の表示状態にすべく前記ディスプレイリモコン２を手動で操作することができる。このとき、中継器では、どの監視カメラが動作しているか識別して、前記カメラ動作警告手段５の警告信号を、監視カメラ３ａ、３ｂ毎に異なるものとして送出することが公知の技術で可能であるから、これを認識した観察者は、前記監視カメラ選択ボタン（図示しない）を手動で操作することにより、希望する監視カメラ３ａ、３ｂからの画像を観察することができる。
【００３７】
以上に説明したような監視機能に加え、インタ−ホン機能を付加できることも前述のとおりである。すなわち、前記監視カメラ３ａ、３ｂと、これに搭載されたマイク（図示しない）は、前面の画像をとらえるだけでなく、カメラ近傍の音をとらえて、これらの画像と音声を同時に、前記画像ディスプレイ手段１で再生する。第一図のように、前記画像ディスプレイ手段１側から、前記リモコン手段６に搭載されたワイヤレスマイクでとらえた音声を、前記監視カメラ３ａ、３ｂ近傍に配置されたスピーカー１２から再生することができるので、前述のようなインターホン機能を実現することが可能である。
【図面の簡単な説明】
【００３８】
【図１】本発明における監視カメラ制御装置の実施例のひとつとしての構成図
【図２】本発明における監視カメラ制御装置の実施例のひとつとしてのブロック図
【図３】本発明における監視カメラ制御装置の実施例のひとつとしての接続図
【図４】家庭用テレビのビデオ入力切り換え遷移を示すブロック図
【図５】本発明における監視カメラ制御装置の別の実施例としての構成図
【符号の説明】
【００３９】
１    画像ディスプレイ手段
２    ディスプレイリモコン
３    監視カメラ
４    リモコン信号受信手段
５    カメラ動作警告手段
６    リモコン手段
６ａ  ワイヤレスマイク
７    検出手段
８    家庭用テレビ
９    アンテナ
１０  画像記録再生手段
１１  中継器
１２  スピーカー
【図１】
2006019821.tif 000003
【図２】
2006019821.tif 000004
【図３】
2006019821.tif 000005
【図４】
2006019821.tif 000006
【図５】
2006019821.tif 000007